(57)【要約】  【課題】商品収納ラック内の商品の完売を検知して、庫内ファンの運転動作を制御することで、冷却、加温不足の商品が販売されない自動販売機を提供する。  【解決手段】複数の商品収納ラック２ａと、商品収納ラック２ａ下部に設けられ冷却あるいは加温するための冷却、加温手段３と、冷却、加温手段３により冷却あるいは加熱された空気を循環するための庫内ファン４を備え、商品の完売を検知する売り切れ検知手段５により売切れが検知された場合に、庫内ファンを強制的に連続運転させて、商品収納室２の空気循環を促進させ、商品温度を安定させることができる。【選択図】図１
2005196435.tif 000002
【特許請求の範囲】
【請求項１】
複数の商品収納ラックと、前記商品収納ラック下部に設けられ前記商品収納ラックに収納された商品を冷却あるいは加温するための冷却、加温手段と、前記冷却、加温手段により冷却あるいは加熱された空気を循環するための庫内ファンと、前記商品収納ラックの完売を検知するための売り切れ検知手段と、前記庫内ファンの風量を調節するための庫内ファン制御手段を備え、少なくとも１つの商品収納ラックに収納された商品が前記売り切れ検知手段により売り切れが検知された場合に、前記庫内ファンを連続運転させることを特徴とした自動販売機。
【請求項２】
庫内ファンの向きを変更するための庫内ファン可動手段を備え、売り切れ検知手段により売り切れが検知された場所により前記庫内ファン可動手段にて前記庫内ファンの向きを変え、間欠運転を中止することなく商品温度を安定させることを特徴とした請求項１に記載の自動販売機。
【請求項３】
商品温度を検知するための商品温度検知手段を備え、売り切れ検知手段により売り切れが検知された場合に、前記商品温度検知手段により検知された温度に基づき、前記庫内ファンの間欠運転率を調節することで商品温度を安定させることを特徴とした請求項１に記載の自動販売機。
【請求項４】
自動販売機に収納された商品がすべて売り切れ検知手段により完売されていると検知された場合に、前記庫内ファンは間欠運転を行うことを特徴とした請求項１に記載の自動販売機。
【請求項５】
省エネ運転を優先する省エネ優先設定手段を備え、ユーザの操作によって前記省エネ優先設定手段により省エネ優先が設定された場合には、売り切れ検知手段により商品の売り切れが検知されたときでも、庫内ファンの間欠運転を継続することを特徴とした請求項１に記載の自動販売機。
【発明の詳細な説明】
【技術分野】
【０００１】
本発明は庫内に冷却、加温手段を具備して庫内に収納した商品を冷却、あるいは加温する自動販売機に関するものである。
【背景技術】
【０００２】
従来、この種の自動販売機においては、庫内の商品収納ラックの下方に冷却器とヒータおよび庫内ファンが備えられており、冷却器により冷却された空気、あるいはヒータにより加温された空気を上方の庫内に循環する庫内ファンを販売状況に応じて回転数制御することで、消費電力を低減している(例えば、特許文献１参照）。
【特許文献１】特開平８−１２４０１２号公報
【発明の開示】
【発明が解決しようとする課題】
【０００３】
しかしながら、上記従来の構成では、庫内ファンの間欠運転中に商品収納ラックの一つでも完売となった場合、商品収納ラック内に庫内ファンで送風される空気が下方から入り込み、販売可能状態にある別の商品収納ラックへの空気循環が阻害され、収納ラック全体の温度分布が悪くなり、商品温度が安定しないという課題を有していた。
【０００４】
本発明は従来の課題を解決するもので、商品収納ラックの完売を検知して、庫内ファンの回転数を制御することで、冷却、加温不足の商品が販売されないようにする自動販売機を提供することを目的とする。
【課題を解決するための手段】
【０００５】
上記従来の課題を解決するために、本発明の請求項１に記載の発明は、複数の商品収納ラックと、前記商品収納ラック下部に設けられ前記商品収納ラックに収納された商品を冷却あるいは加温するための冷却、加温手段と、前記冷却、加温手段により冷却あるいは加熱された空気を循環するための庫内ファンと、前記商品収納ラックの完売を検知するための売り切れ検知手段を備え、前記売り切れ検知手段により売り切れが検知された場合に、前記庫内ファンを連続運転させることで商品温度を安定させることを特徴としたものである。
【０００６】
これによって、庫内ファンの間欠制御中に少なくとも１つの商品収納ラックの商品が完売となった場合でも、庫内ファンの間欠制御を中止することで庫内の空気循環を良くし、商品温度を安定することができる。
【０００７】
また、本発明の請求項２に記載の発明は、請求項1に記載の発明に、さらに、庫内ファンの向きを変更するための庫内ファン可動手段を備えたものであり、売り切れ検知手段により売り切れが検知された場所により前記庫内ファン可動手段にて前記庫内ファンの向きを変え、間欠運転を中止することなく商品温度を安定させることを特徴としたものである。
【０００８】
これによって、庫内ファンの間欠制御中に商品収納ラックの一つが売り切れになった場合でも、庫内ファンの向きを変えることで庫内の空気循環を改善し、庫内ファンの間欠制御を継続することで、電力量の消費を低減し、商品温度を安定することができる。
【０００９】
また、本発明の請求項３に記載の発明は、請求項1に記載の発明に、さらに、商品温度を検知するための商品温度検知手段を備えたものであり、前記売り切れ検知手段により売り切れが検知された場合に、前記商品温度検知手段により検知された温度に基づき、前記庫内ファンの間欠率を調節することで、電力量の消費を低減し、商品温度を安定させることを特徴としたものである。
【００１０】
これによって、庫内ファンの間欠制御中に商品収納ラックの一つが売り切れになった場合でも、商品温度検知手段により検知された温度に基づき、庫内ファンの間欠率を調節することで、電力量の消費を低減し、商品温度を安定することができる。
【００１１】
また、本発明の請求項４に記載の発明は、請求項1に記載の発明に、さらに、自動販売機全体の売り切れ検知手段の売り切れが検知された場合に、前記庫内ファンの間欠運転を実行させる制御手段を備えたものである。
【００１２】
これによって、一つ以上の商品収納ラックが完売したことにより、庫内ファンの間欠制御が中止されている場合に、自動販売機の商品収納ラックのすべてが完売となったときには、庫内ファンの間欠運転の中止を解除することで電力量の消費を低減することができる。
【００１３】
また、本発明の請求項５に記載の発明は、請求項１に記載の発明に、さらに、省エネ運転を優先する省エネ優先設定手段を備えたものであり、ユーザの操作によって省エネ優先設定手段により省エネ優先が設定された場合には、売り切れ検知手段により売り切れが検知されたときでも、前記庫内ファンの間欠運転を継続することを特徴としたものである。
【００１４】
これによって、庫内ファンの間欠制御中に商品収納ラックの少なくとも１つが収納数がなくなり売り切れになった場合でも、庫内ファンの間欠運転を継続することで電力量の消費を低減することができる。
【発明の効果】
【００１５】
本発明の請求項１に記載の発明は、庫内ファンの間欠制御中に少なくとも１つの商品収納ラックの商品が完売となった場合、庫内ファンの間欠制御を中止し連続運転を行うことで庫内の空気循環を良くし、商品温度を安定することができる。
【００１６】
また、本発明の請求項２に記載の発明は、庫内ファンの間欠制御中に商品収納ラックの一つが売り切れになった場合でも、庫内ファンの向きを変えることで庫内の空気循環を改善し、庫内ファンの間欠制御を継続することで、電力量の消費を低減し、商品温度を安定することができる。
【００１７】
また、本発明の請求項３に記載の発明は、庫内ファンの間欠制御中に商品収納ラックの一つが売り切れになった場合でも、商品温度検知手段により検知された温度に基づき、庫内ファンの間欠率を調節することで、電力量の消費を低減し、商品温度を安定することができる。
【００１８】
また、本発明の請求項４に記載の発明は、庫内ファンの間欠制御中に自動販売機の商品収納ラックのすべてが完売となった場合に、庫内ファンはそのまま間欠運転を継続させることで電力量の消費を低減することができる。
【００１９】
また、本発明の請求項５に記載の発明は、庫内ファンの間欠制御中に商品収納ラックの一つが売り切れになった場合でも、ユーザの操作によって庫内ファンの間欠運転を継続することができるので電力量の消費を低減することができる。
【発明を実施するための最良の形態】
【００２０】
請求項１に記載の発明は、複数の商品収納ラックと、前記商品収納ラック下部に設けられ前記商品収納ラックに収納された商品を冷却あるいは加温するための冷却、加温手段と、前記冷却、加温手段により冷却あるいは加熱された空気を循環するための庫内ファンと、前記商品収納ラックの完売を検知するための売り切れ検知手段を備え、庫内ファンの間欠制御中に商品収納ラックの商品が完売となった場合でも、庫内ファンの間欠制御を中止し連続運転することで庫内の空気循環を良くし、商品温度を安定することができる。
【００２１】
請求項２に記載の発明は、請求項1に記載の発明に、さらに、庫内ファンの向きを変更するための庫内ファン可動手段を備えたことにより、庫内ファンの間欠制御中に商品収納ラックの一つが売り切れになった場合でも、庫内ファンの向きを変えることで庫内の空気循環を改善し、庫内ファンの間欠制御を継続することで、電力量の消費を低減し、商品温度を安定することができる。
【００２２】
請求項３に記載の発明は、請求項1に記載の発明に、さらに、商品温度を検知するための商品温度検知手段を備えたことにより、庫内ファンの間欠制御中に商品収納ラックの一つが売り切れになった場合でも、商品温度検知手段により検知された温度に基づき、庫内ファンの間欠率を調節することで、電力量の消費を低減し、商品温度を安定することができる。
【００２３】
請求項４に記載の発明は、請求項1に記載の発明に、さらに、自動販売機全体の売り切れ検知手段の売り切れが検知された場合に、前記庫内ファンの間欠運転を行う制御手段を備えたことにより、一つ以上の商品収納ラックが完売したことにより、庫内ファンの間欠制御が中止されている場合に、自動販売機の商品収納ラックのすべてが完売となったときには、商品収納室内には商品がないので庫内ファンの連続運転により温度分布をムラなく一定に維持させる必要はないので庫内ファンの間欠運転を実行させることで電力量の消費を低減することができる。
【００２４】
請求項５に記載の発明は、請求項１に記載の発明に、さらに、省エネ運転を優先する省エネ優先設定手段を備えたことにより、ユーザの判断で、庫内ファンの間欠制御中に商品収納ラックの一つが売り切れになった場合でも、ユーザが手動で庫内ファンの間欠運転を継続設定することで電力量の消費を低減することができる。
【００２５】
以下、本発明による自動販売機の実施の形態について、図面を参照しながら説明する。なお、この実施の形態によってこの発明が限定されるものではない。
【００２６】
（実施の形態１）
図１は、本発明の実施の形態１による自動販売機の概略構成図である。
【００２７】
図２は、本発明の実施の形態１による自動販売機の機能ブロック図である。図３は、同実施の形態の動作を示すフローチャートである。
【００２８】
図１、図２において、自動販売機本体１内は、上部に商品収納室２を形成し、商品収納室２内に商品を収納するための複数の商品収納ラック２ａを配置し、商品収納室２の下方に冷却・加温室３を配置し、冷却・加温室３内には庫内の商品を冷却あるいは加温するための冷却、加温手段３ａを備え、冷却、加温手段３ａにより冷却あるいは加熱された空気を循環するための庫内ファン４（ＤＣファン）が商品収納ラック２の下方になるように配置されている。
【００２９】
また、商品収納室２と冷却・加温室３は仕切り壁１００で区画され、庫内ファン４の吐出口１００ａと吸込み口１００ｂが形成されている。吐出口１００ａは複数の商品収納ラック２ａの下部にあり、吸込み口１００ｂは複数の商品収納ラック２ａの後方になるように、仕切り壁１００は商品収納ラック２ａの後方に立ち上がって形成されている。
【００３０】
また、自動販売機本体１の下部には機械室２００が形成され、冷凍サイクルの圧縮機、制御装置６が配置されている。制御装置６内には、商品収納ラックの完売を検知するための売り切れ検知手段５と、庫内ファンの風量を調節するための庫内ファン制御手段７と商品収納ラックの商品を完売モードに切り替えるための完売モード設定手段８と設定を記憶する記憶手段９と冷却、加温手段３ａ、売り切れ検知手段５、庫内ファン制御手段７、完売モード設定手段８、記憶手段９とに接続された演算制御部１０ａとを備えている。
【００３１】
以上のように構成された自動販売機について、以下その演算制御部１０ａの動作、作用を図３のフローチャートをもとにして説明する。
【００３２】
庫内ファン４が間欠運転する場合について、各商品収納ラック２ａ内の商品が適温に維持されている時、またどの商品収納ラック２ａも商品が収納された状態にあるときは、ステップ１で庫内ファンは間欠運転を行う。ステップ２では、各商品収納ラック２ａ内に商品が設定数ｎ個（ｎは１、２個のいずれか）以上、各々の商品収納ラック２ａ内に残っていれば、ＮＯと判定し、庫内ファンは間欠運転を行う。間欠運転は庫内温度に関係なく設定された時間間隔でＯＮ／ＯＦＦを繰り返す。実施例の場合、ＯＮ時間が３６５ｍｓｅｃ、ＯＦＦ時間を１２５ｍｓｅｃでサイクル運転を行い、通常運転時の省エネ化を図ることができる。
【００３３】
また庫内ファン４が連続運転を行う場合について、ステップ２で、少なくとも１つの商品収納ラック２ａ内の商品が設定数ｎ個（ｎは０、１、２個のいずれか）になった場合、売切れ検知手段５により検知され、庫内ファン４は商品収納室２の温度にかかわらず連続運転を開始する。特に、商品収納ラック２ａ内の商品が０個になった時に、商品収納ラック２ａの出口部２ｂから商品収納ラック内に、庫内ファンから送風される空気が流れ込みやすくなり、庫内ファン４の間欠運転では商品収納室２内の温度分布が一定に保たれず、安定した商品の温度管理ができなくなる。
【００３４】
このため、商品収納ラック２ａ内の商品が０個の時、庫内ファンを連続運転させ、間欠運転時よりも風量を上げることで、商品収納室２空間全体に空気循環させ、庫内温度分布を改善することができる。
【００３５】
そして、ユーザが売切れた収納ラック２ａに新たに商品を補充し、売切れ検知手段５を解除した時に、庫内ファン４は間欠運転に切換えられる。この時、ユーザがすぐに商品を補充できない場合は、所定時間連続運転を行う設定にして、所定時間経過後に間欠運転を行ってもよい。例えば６時間後に連続運転を中止し、間欠運転に切り換えてもよい。この設定により、庫内温度分布を改善するとともに、庫内ファンの省エネ化を図ることができる。
【００３６】
また、別の実施例として、図４のように、間欠運転中の場合、完売モード設定手段８により完売モードが設定されているか確認するステップ２が実行される。完売モードが設定されていない場合は庫内ファン４の間欠運転が継続され、完売モードが設定されている場合、例えば、「商品収納コラム２ａ内の商品数が０個で売切れとする。」と設定する。この設定条件に商品収納コラム２ａが適合した場合、売り切れ検知手段５により商品収納ラック２ａの商品が完売されたかをステップ３で確認し、どの商品収納ラック２ａも完売されていない場合は通常運転である間欠運転を継続し、少なくとも１つの商品収納ラック２ａが完売されていた場合、すなわち商品収納ラック２ａ内に商品は０個であり、庫内ファン４で送風される空気がその商品収納ラック２ａの出口部２ｂから進入される状態になった場合には間欠運転を中止し、連続運転に切り換えられる。(ステップ４)
このように、売切れ検知手段５は、最後の商品が出口部２ｂから搬出された場合に検知できるように商品収納コラム２ａの下部の最終収納部２ｃ位置に設置されている。
【００３７】
以上のように、本実施の形態においては複数の商品収納ラック２と、商品収納ラック２下部に設けられ商品収納ラック２ａに収納された商品を冷却あるいは加温するための冷却、加温手段３と、冷却、加温手段３により冷却あるいは加熱された空気を循環するための庫内ファン４と、商品収納ラック２ａの完売を検知するための売り切れ検知手段５と、庫内ファン４の風量を調節するための庫内ファン制御手段７と、商品収納ラック２ａの商品を完売モードに切り替えるための完売モード設定手段８と、設定を記憶する記憶手段９と、冷却、加温手段３と売り切れ検知手段５と庫内ファン制御手段７と完売モード設定手段８と記憶手段９に接続された演算制御部１０ａを備えたことにより、庫内ファン４の間欠制御中に商品収納ラック２ａの少なくとも１つが完売となった場合でも、庫内ファン４の間欠運転を中止し連続運転することで庫内の空気循環を良くし、商品温度を安定することができる。
【００３８】
（実施の形態２）
図５は、本発明の実施の形態２の自動販売機の機能ブロック図である。図６は、同実施の形態の動作を示すフローチャートである。
【００３９】
図５において、庫内ファン可動手段１１は演算制御部１０ｂに接続し、庫内ファンの向きを変えるためのものである。
【００４０】
本実施の形態は、実施の形態１による自動販売機に、さらに、庫内ファン可動手段１１を設けたものである。
【００４１】
以上のように構成された自動販売機について、以下その演算制御部１０ｂの動作、作用を図６のフローチャートをもとにして説明する。
【００４２】
まず、庫内ファン制御手段７により庫内ファンが間欠運転制御されているか確認する（ＳＴＥＰ１）。間欠運転中でない場合は現状の運転を継続し、間欠運転中の場合は完売モード設定手段８により完売モードが設定されているか確認する（ＳＴＥＰ２）。完売モードが設定されていない場合は現状の運転を継続し、完売モードが設定されている場合は売り切れ検知手段５により商品収納ラック２ａの商品が完売されたかを確認する（ＳＴＥＰ３）。一つの商品収納ラック２ａも完売されていない場合は現状の運転を継続し、一つでも商品収納ラック２ａが完売されていた場合は庫内ファン可動手段により庫内ファン４の風向きを変える(ＳＴＥＰ５)。
【００４３】
以上のように、本実施の形態においては請求項1に記載の発明に、さらに、庫内ファンの向きを変更するための庫内ファン可動手段１１を備えたことにより、庫内ファンの間欠制御中に商品収納ラックの一つが売り切れになった場合でも、庫内ファンの向きを変えることで庫内の空気循環を改善し、庫内ファンの間欠制御を継続することで、電力量の消費を低減し、商品温度を安定することができる。
【００４４】
（実施の形態３）
図７は、本発明の実施の形態３の自動販売機の機能ブロック図である。図８は、同実施の形態の動作を示すフローチャートである。
【００４５】
図７において、商品温度検知手段１２は演算制御部１０ｃに接続し、商品収納ラックに収納された商品の温度を検知するためのものである。
【００４６】
本実施の形態は、実施の形態１による自動販売機に、さらに、商品温度検知手段１２を設けたものである。
【００４７】
以上のように構成された自動販売機について、以下その演算制御部１０ｃの動作、作用を図８のフローチャートをもとにして説明する。
【００４８】
まず、庫内ファン制御手段７により庫内ファンが間欠運転制御されているか確認する（ＳＴＥＰ１）。間欠運転中でない場合は現状の運転を継続し、間欠運転中の場合は完売モード設定手段８により完売モードが設定されているか確認する（ＳＴＥＰ２）。完売モードが設定されていない場合は現状の運転を継続し、完売モードが設定されている場合は売り切れ検知手段５により商品収納ラック２ａの商品が完売されたかを確認する（ＳＴＥＰ３）。一つの商品収納ラック２ａも完売されていない場合は現状の運転を継続し、一つでも商品収納ラック２が完売されていた場合は商品温度検知手段１２により商品の温度を検知する(ＳＴＥＰ６)。商品温度検知手段１２により検知された温度が設定範囲外の場合は庫内ファン４の間欠運転を中止し(ＳＴＥＰ４)、設定範囲内の場合には庫内ファン４の間欠運転を開始する(ＳＴＥＰ７)。
【００４９】
以上のように、本実施の形態においては請求項1に記載の発明に、さらに、商品温度を検知するための商品温度検知手段１２を備えたことにより、庫内ファンの間欠制御中に商品収納ラックの一つが売り切れになった場合でも、商品温度検知手段により検知された温度に基づき、庫内ファンの間欠率を調節することで、電力量の消費を低減し、商品温度を安定することができる。
【００５０】
（実施の形態４）
図９は、本発明の実施の形態４の自動販売機の機能ブロック図である。図１０は、同実施の形態の動作を示すフローチャートである。
【００５１】
本実施の形態は、実施の形態１による自動販売機に完売モード設定手段により完売モードに設定され、自動販売機全体の前記売り切れ検知手段の売り切れが検知された場合に、前記庫内ファンの間欠運転の中止を解除する制御手段を備えたものである。
【００５２】
以上のように構成された自動販売機について、以下その演算制御部１０ｄの動作、作用を図１０のフローチャートをもとにして説明する。
【００５３】
まず、庫内ファン制御手段７により庫内ファンが間欠運転制御されているか確認する（ＳＴＥＰ１）。間欠運転中でない場合は自動販売機本体１の商品収納ラック２ａの商品がすべて完売されているか確認し（ＳＴＥＰ８）、商品がすべて完売されていない場合は現状の運転を継続し、商品がすべて完売されている場合は庫内ファン４の間欠運転を開始する(ＳＴＥＰ９)。間欠運転中の場合は完売モード設定手段８により完売モードが設定されているか確認する（ＳＴＥＰ２）。完売モードが設定されていない場合は現状の運転を継続し、完売モードが設定されている場合は売り切れ検知手段５により商品収納ラック２ａの商品が完売されたかを確認する（ＳＴＥＰ３）。一つの商品収納ラック２ａも完売されていない場合、通常は庫内ファン４の間欠運転を継続し、少なくとも１つの商品収納ラック２ａが完売されていた場合は庫内ファン４の間欠運転を中止し連続運転を行う(ＳＴＥＰ４)。商品温度検知手段１２により検知された温度が設定範囲内の場合には庫内ファン４の間欠運転を継続し、設定範囲外の場合には庫内ファン４の間欠運転を中止し連続運転させる(ＳＴＥＰ４)。
【００５４】
以上のように、本実施の形態においては請求項1に記載の発明に、さらに、完売モード設定手段８により完売モードに設定され、自動販売機の売り切れ検知手段５の全売り切れが検知された場合に、庫内ファン４の間欠運転を継続する制御手段を備えたことにより、一つ以上の商品収納ラック２ａが完売したことにより庫内ファン４の間欠制御が中止され連続運転している場合に、自動販売機本体１の商品収納ラック２ａのすべてが完売となったときには、商品収納室２内には商品がなく、適温に冷却、加温させる必要がないので庫内ファン４の間欠運転を実行させることで電力量の消費を低減することができる。
【００５５】
（実施の形態５）
図１１は、本発明の実施の形態５の自動販売機の機能ブロック図である。図１２は、同実施の形態の動作を示すフローチャートである。
【００５６】
図１１において、省エネ優先設定手段１３は演算制御部１０ｅに接続し、省エネを優先した庫内ファン４の運転制御を設定するためのものである。
【００５７】
本実施の形態は、実施の形態１による自動販売機に、さらに、省エネ優先設定手段１３を設けたものである。
【００５８】
以上のように構成された自動販売機について、以下その演算制御部１０ｅの動作、作用を図１２のフローチャートをもとにして説明する。
【００５９】
まず、庫内ファン制御手段７により庫内ファンが間欠運転制御されているか確認する（ＳＴＥＰ１）。間欠運転中でない場合、例えばユーザが自動販売機本体１の前面ドアを開けて商品収納ラック２ａに商品を補充した時などは、ドア開閉検知により所定時間連続運転を行うときは連続運転を継続し、間欠運転中の場合は完売モード設定手段８により完売モードが設定されているか確認する（ＳＴＥＰ２）。完売モードが設定されていない場合は現状の運転を継続し、完売モードが設定されている場合は売り切れ検知手段５により商品収納ラック２ａの商品が完売されたかを確認する（ＳＴＥＰ３）。一つの商品収納ラック２ａも完売されていない場合は間欠運転を継続し、少なくとも１つの商品収納ラック２ａが完売されていた場合は省エネ優先設定の有無を確認する(ＳＴＥＰ１０)。省エネ優先設定がされていた場合はユーザの操作によって庫内ファン４の間欠運転を継続(ＳＴＥＰ１１)させることができる。省エネ優先設定がされていなかった場合は庫内ファン４の間欠運転を中断し(ＳＴＥＰ４)連続運転を行う。
【００６０】
以上のように、本実施の形態においては請求項1に記載の発明に、省エネ運転を優先する省エネ優先設定手段を備えたことにより、商品収納室２ａの温度状態や補充する商品の温度状態が適温になっている場合には、ユーザの手動操作によって庫内ファンの間欠運転制御中で少なくとも１つの商品収納ラックの商品が売り切れになった場合でも、庫内ファンの間欠運転を継続させることができ、電力量の消費を低減することができる。
【産業上の利用可能性】
【００６１】
以上のように、本発明にかかる自動販売機は、庫内ファンの間欠率を変動により商品温度を安定させることが可能になるので、冷却、加温手段と循環用の庫内ファンを備えた、ベーカリー機器等の用途にも適用できる。
【図面の簡単な説明】
【００６２】
【図１】本発明による実施の形態１の自動販売機の概略構成図
【図２】本発明の実施の形態１における自動販売機のブロック図
【図３】同実施の形態１の自動販売機の動作を示すフローチャート
【図４】同実施の形態１の自動販売機の動作を示す別のフローチャート
【図５】本発明の実施の形態２における自動販売機のブロック図
【図６】同実施の形態２の自動販売機の動作を示すフローチャート
【図７】本発明の実施の形態３における自動販売機のブロック図
【図８】同実施の形態３の自動販売機の動作を示すフローチャート
【図９】本発明の実施の形態４における自動販売機のブロック図
【図１０】同実施の形態４の自動販売機の動作を示すフローチャート
【図１１】本発明の実施の形態５における自動販売機のブロック図
【図１２】同実施の形態５の自動販売機の動作を示すフローチャート
【符号の説明】
【００６３】
１    自動販売機本体
２ａ  商品収納ラック
３ａ  冷却、加温手段
４    庫内ファン
５    売り切れ検知手段
６    制御装置
７    庫内ファン制御手段
８    完売モード設定手段
９    記憶手段
１０ａ，１０ｂ，１０ｃ，１０ｄ，１０ｅ  演算制御部
１１  庫内ファン可動手段
１２  商品温度検知手段
１３  省エネ優先設定手段
【図１】
2005196435.tif 000003
【図２】
2005196435.tif 000004
【図３】
2005196435.tif 000005
【図４】
2005196435.tif 000006
【図５】
2005196435.tif 000007
【図６】
2005196435.tif 000008
【図７】
2005196435.tif 000009
【図８】
2005196435.tif 000010
【図９】
2005196435.tif 000011
【図１０】
2005196435.tif 000012
【図１１】
2005196435.tif 000013
【図１２】
2005196435.tif 000014